(57)【要約】【課題】物資を保管する保管スペースを有する物資保管手段を、かご室の内部空間から操作可能にかご室の内部空間の外側に設け、かご室の内部空間を狭めることなく物資の保管スペースを確保できるエレベータ装置を得る。【解決手段】かご床２３、及びかご出入り口の一側からかご床２３の周縁に沿ってかご出入り口の他側に至るようにかご床２３上に延設された縦壁３９を有するかご室２２を含むかごを備え、物資５２を保管する保管スペース５１を有する構造の物資保管手段５５が、保管スペース５１をかご室２２の内部空間から操作可能に、かご室２２の内部空間の外側に設けられている。【選択図】図５
2012140240.tif 000002
【特許請求の範囲】
【請求項１】
かご床、及びかご出入り口の一側から上記かご床の周縁に沿って上記かご出入り口の他側に至るように上記かご床上に延設された縦壁を有するかご室を含むかごを備え、
物資を保管する保管スペースを有する構造の物資保管手段が、上記保管スペースを上記かご室の内部空間から操作可能に、上記かご室の内部空間の外側に設けられていることを特徴とするエレベータ装置。
【請求項２】
上記物資保管手段は、
上記かご床の周部から上方に延出される幅木取付部と、
上記縦壁の下端側を構成する幅木本体部を有し、上記幅木取付部と上記幅木取付部とが互いに間隔をあけて相対するように上記幅木取付部に着脱可能に取り付けられて上記幅木取付部との間に上記保管スペースを形成する幅木と
を備えることを特徴とする請求項１に記載のエレベータ装置。
【請求項３】
上記幅木本体部及び幅木取付部の一方から他方に向かって突出され、先端に上記幅木本体部及び幅木取付部の他方に当接する磁石を有する磁力連結手段を備え、
上記幅木本体部及び幅木取付部の他方は磁性材料により作製されていることを特徴とする請求項２に記載のエレベータ装置。
【請求項４】
上記幅木取付部及び幅木本体部の一方から他方に向かって突出する仕切り部材を備えることを特徴とする請求項２または３に記載のエレベータ装置。
【請求項５】
上記幅木の取り外し方法が記された表記部を有し、上記表示部を上記かご室内に向けて配設される報知部材を備え、
上記表記部が蓄光部材により構成されていることを特徴とする請求項２乃至請求項４のいずれか１項に記載のエレベータ装置。
【請求項６】
上記報知部材は、上記表記部と相対する側から見て上記表記部を囲繞する背景部を有し、上記表示部と上記背景部とが同じ色に設定されていることを特徴とする請求項５に記載のエレベータ装置。
【請求項７】
上記物資保管手段は、上記縦壁の裏面側に設けられ、
上記物資保管手段の配設位置に対応する上記縦壁の部位には、開口部が設けられ、
上記開口部を開閉自在に設けられる扉と、
上記扉の施錠と解錠を切り替え可能に構成された電気錠と、
上記電気錠の施錠と解錠を制御可能に構成され、上記かごの非常停止時に、上記電気錠の施錠を解除する電気錠制御手段と
を備えることを特徴とする請求項１に記載のエレベータ装置。
【発明の詳細な説明】
【技術分野】
【０００１】
この発明は、物資を保管する保管スペースがかごまわりに設けられたエレベータ装置に関する。
【背景技術】
【０００２】
従来のエレベータの防災装置は、エレベータの乗りかごの内部に非常用品を収納する防災用収納ボックスを備えている（例えば、特許文献１参照）。
【先行技術文献】
【特許文献】
【０００３】
【特許文献１】特開２００９−１２０２９０号公報
【発明の概要】
【発明が解決しようとする課題】
【０００４】
しかしながら、従来のエレベータの防災装置では、防災用収納ボックスが、かごの内部に配置されるので、乗客が利用するためのかご内のスペースが縮小してしまうという問題があった。
【０００５】
この発明は上記の課題を解決するためになされたものであり、物資を保管する保管スペースを有する物資保管手段を、かご室の内部空間から操作可能にかご室の内部空間の外側に設け、かご室の内部空間を狭めることなく物資の保管スペースを確保できるエレベータ装置を得ることを目的とする。
【課題を解決するための手段】
【０００６】
この発明のエレベータ装置は、かご床、及びかご出入り口の一側からかご床の周縁に沿ってかご出入り口の他側に至るように延設された縦壁を有するかご室を含むかごを備え、物資を支持する保管スペースが形成される構造の物資保管手段が、保管スペースをかご室の内部空間から操作可能に、かご室の内部空間の外側に設けられている。
【発明の効果】
【０００７】
この発明に係るエレベータ装置によれば、物資保管手段が、保管スペースをかご室の内部空間から操作可能に、かご室の内部空間の外側に設けられるので、保管スペースをかご室の内部空間を狭めることなく確保できる。
【図面の簡単な説明】
【０００８】
【図１】この発明の実施の形態１に係るエレベータ装置の模式図である。
【図２】この発明の実施の形態１に係るエレベータ装置の幅木を含むかご室の水平断面図である。
【図３】この発明の実施の形態１に係るエレベータ装置のかご室内を、かご出入り口側に向かって見た図である。
【図４】この発明の実施の形態１に係るエレベータ装置のかご室内を、かご出入り口側から見た図である。
【図５】図２のＶ−Ｖ矢視断面図である。
【図６】図２のＶＩ−ＶＩ矢視断面図である。
【図７】図４のＡ部拡大図である。
【図８】この発明の実施の形態２に係るエレベータ装置の幅木と幅木取付部との連結構造を示す要部断面図である。
【図９】この発明の実施の形態３に係るエレベータ装置のかご室内をかご出入り口側から見た図である。
【図１０】図９のＸ−Ｘ矢視断面図である。
【図１１】図１０のＸＩ−ＸＩ矢視断面図である。
【発明を実施するための形態】
【０００９】
以下、この発明を実施するための最良の形態について、図面を参照して説明する。
【００１０】
実施の形態１．
図１はこの発明の実施の形態１に係るエレベータ装置の模式図、図２はこの発明の実施の形態１に係るエレベータ装置の幅木を含むかご室の水平断面図、図３はこの発明の実施の形態１に係るエレベータ装置のかご室内を、かご出入り口側に向かって見た図、図４はこの発明の実施の形態１に係るエレベータ装置のかご室内を、かご出入り口側から見た図、図５は図２のＶ−Ｖ矢視断面図、図６は図２のＶＩ−ＶＩ矢視断面図、図７は図４のＡ部拡大図である。
【００１１】
図１において、エレベータ装置１は、昇降路２の上部に設置される機械室３と、機械室３に配設され、駆動綱車６及び電動機７を有する巻上機５と、機械室３に配設されたそらせ車８と、駆動綱車６及びそらせ車８に掛け渡されて昇降路２に垂下されたメインロープ９と、メインロープ９の一端に連結されたかご２０と、メインロープ９の他端に連結されたつり合いおもり１０と、エレベータ装置１全体の制御を行うエレベータ制御盤１５と、巻上機５に取り付けられて電動機７の回転角度及び回転方向に応じたパルス信号を出力するエンコーダ１４とを備えている。
【００１２】
エレベータ制御盤１５は、各種演算を行うＣＰＵ（図示せず）、各種データを一時的に記憶する記憶領域を有し、ＣＰＵの演算処理時にワーキングスペースに使用されるＲＡＭ（図示せず）、及びＣＰＵに演算させる各種プログラムが格納されたＲＯＭ（図示せず）などを有している。
【００１３】
電動機７は、回転トルクを駆動綱車６に伝達可能に駆動綱車６に連結されている。そして、電動機７の駆動により駆動綱車６が回転するとメインロープ９が走行し、これに連動してかご２０が昇降路２内を昇降する。
【００１４】
エンコーダ１４が出力したパルス信号は、エレベータ制御盤１５に入力される。電動機７の回転数は、かご２０の昇降移動距離に比例するので、エンコーダ１４が出力するパルス信号は、かご２０の高さ位置に関する情報を含む。エレベータ制御盤１５は、エンコーダ１４が出力するパルス信号からかご２０の昇降路２内の高さ位置を演算することにより、かご２０の高さ位置を認識している。
【００１５】
次いで、かご２０の詳細について図１〜図６を参照して説明する。
かご２０は、かご枠２１、及びかご枠に支持されるかご室２２、及び図３に示されるように、例えばエレベータ装置１の管理室（図示せず）などの外部から、かご室２２内の乗客に音声報知をすることが可能に設けられたインターホン１７を備えている。
【００１６】
そして、図５及び図６に示されるように、物資５２を保管する保管スペース５１を有する構造の物資保管手段５５が、かご室２２の一部により構成され、かご室２２の内部空間から操作可能にかご室２２の内部空間の外側に配置されている。
【００１７】
かご室２２は、かご床２３と、かご床２３上に設けられるかご出入り口５０に対応する部位を除いたかご床２３の外縁の主要部から上方に延出される縦壁幅木取付部２７と、かご床２３の外縁の主要部に沿って立設される幅木３１及び縦壁部材３５からなる壁構成体３０とを備えている。
【００１８】
また、かご室２２は、幅木３１を縦壁幅木取付部２７に連結支持させる連結手段としてのクリップ機構４０と、縦壁部材３５を縦壁幅木取付部２７に固定する固定手段としてのボルト・ナット４８と、縦壁部材３５の上端に固定される天板４５と、かご室２２の内部空間に露出されるように設けられ、クリップ機構４０による幅木３１と縦壁幅木取付部２７の連結の解除方法が記された報知部材としての蓄光ラベル５６と、かご出入り口５０を開閉自在に設けられたかご戸６０を備えている。
ここで、かご室２２の内部空間が、かご床２３、幅木３１、縦壁部材３５、及び天板４５に囲まれる空間により構成される。
【００１９】
かご床２３は、概略矩形平板状の床本体２４と、床本体２４の一面に敷設される意匠パネル２５とにより構成され、意匠パネル２５がかご床２３の意匠面となっている。
床本体２４の外縁の主要部は、意匠パネル２５の敷設領域の外側に位置している。
【００２０】
縦壁幅木取付部２７と床本体２４は、磁性材料からなる鋼材からなり、以下のように一体に構成されている。
縦壁幅木取付部２７は、床本体２４上に設けられるかご出入り口５０の一側から床本体２４の外縁に沿ってかご出入り口５０の他側に至るように床本体２４の外縁から上方に延出されている。
【００２１】
縦壁幅木取付部２７は、床本体２４から上方に延びる幅木取付部２８、及び幅木取付部２８の延出端から床本体２４の内側に向かって幅木取付部２８に垂直に延出された壁支持部２９により構成されている。
【００２２】
壁構成体３０は、複数の幅木３１及び複数の縦壁部材３５により構成される。
複数の幅木３１が、かご出入り口５０の一側から床本体２４の外縁に沿ってかご出入り口５０の他側に至るように配列される。
各幅木３１は、長尺の矩形平板状に作製され、一面側を意匠面とする幅木本体部３２、及び幅木本体部３２の裏面の一方の長辺縁部側から幅木取付部２８に向かって突出される仕切り部材３３を備えている。
幅木本体部３２の長手方向の一端側の部位には、取り外し穴３２ａが形成されている。
【００２３】
また、各縦壁部材３５は、矩形形状に作製されて一面を意匠面とする縦壁本体３６、及び縦壁本体３６の長手方向の一端から縦壁本体３６の他面（裏面）側に延出される壁取付部３７を有する。
【００２４】
以上のように構成された幅木３１の幅木取付部２８は、クリップ機構４０を介して連結される。以下、その連結構造について説明する。
【００２５】
ここで、複数の幅木３１は、具体的には、以下のように配置されている。一対の幅木３１が、かご出入り口５０の両側にかご出入り口５０の間口方向に所定の角度で延在するように設けられ、もう一対の幅木３１が、かご出入り口５０の両側に設けられた一対の幅木３１のかご出入り口５０と逆側の端部から、奥行き方向に延在するように設けられ、さらにもう一つの幅木３１が、奥行き方向に延在する一対の幅木３１のかご出入り口５０と逆側の端部を連結するように設けられている。
【００２６】
このとき、各幅木３１は、仕切り部材３３を下方に配置し、かつ、幅木本体部３２の裏面と幅木取付部２８の一面との間に所定の間隔が形成されるように幅木本体部３２と幅木取付部２８とを相対させて配置されている。また、幅木３１は、床本体２４の上方に所定の隙間をあけて配置されている。
【００２７】
そして、各幅木３１が、複数のクリップ機構４０により着脱可能に幅木取付部２８に連結支持される。
【００２８】
複数のクリップ機構４０は、図２に示されるように、かご床２３の外縁部に沿った幅木３１と幅木取付部２８の延在方向に互いに間隔をあけて設けられている。
各クリップ機構４０は、図５及び図６に示されるように、幅木本体部３２の裏面から突出される一対の第１足部４１ａ，４１ｂと、幅木取付部の２８一面から突出される一対の第２足部４３ａ，４３ｂとを備える。
【００２９】
一対の第１足部４１ａ，４１ｂは、幅木本体部３２の短手方向に互いに間隔をあけて平行に配置される。
一対の第１足部４１ａ，４１ｂの突出端側のそれぞれには、互いに相対する方向に突出される一対の掛け止め部４２ａ，４２ｂのそれぞれが形成されている。
一対の第１足部４１ａ，４１ｂの突出方向を含む掛け止め部４２ａ，４２ｂの断面形状は、第１足部４１ａ，４１ｂの先端から基端側に向かって漸次傾斜して突出端まで到達した後、さらに第１足部４１ａ，４１ｂの基端側に向かうにつれて漸次傾斜する形状を有している。
【００３０】
また、一対の第２足部４３ａ，４３ｂは、幅木取付部２８の床本体２４からの延出方向に互いに間隔をあけて平行に配置される。
一対の第２足部４３ａ，４３ｂの突出端側のそれぞれには、互いに相反する方向に突出される一対の掛け止め部４４ａ，４４ｂのそれぞれが形成されている。
一対の第２足部４３ａ，４３ｂの突出方向を含む掛け止め部４４ａ，４４ｂの断面形状は、第２足部４３ａ，４３ｂの先端から漸次傾斜して突出端まで到達した後、突出端から第２足部４３ａ，４３ｂの基端側に向かうにつれて漸次傾斜する形状を有している。
【００３１】
一対の掛け止め部４２ａ，４２ｂと一対の掛け止め部４４ａ，４４ｂは、幅木本体部３２と幅木取付部２８を所望の取付位置に配置して相対させたときに、対向するようになっている。
【００３２】
そして、幅木３１を、所定以上の力で幅木取付部２８に向けて押し込むと、掛け止め部４２ａ，４２ｂ及び４４ａ，４４ｂが当接するが、第１足部４１ａ，４１ｂ及び第２足部４３ａ，４３ｂが弾性変形されて掛け止め部４２ａ，４２ｂの突出端が、掛け止め部４４ａ，４４ｂの突出端を乗り越えて、掛け止め部４２ａ，４２ｂと掛け止め部４４ａ，４４ｂとが掛け合わされる。即ち、幅木３１が、クリップ機構４０を介して幅木取付部２８に連結支持される。
【００３３】
また、幅木３１を幅木取付部２８から所定以上の力で引き出すと、第１足部４１ａ，４１ｂ及び第２足部４３ａ，４３ｂが弾性変形して、掛け止め部４２ａ，４２ｂの突出端が、掛け止め部４４ａ，４４ｂの突出端を乗り越えて、掛け止め部４２ａ，４２ｂと掛け止め部４４ａ，４４ｂとの掛け合いが解除される。これにより、幅木３１と幅木取付部２８との連結が解除される。
【００３４】
なお、幅木本体部３２に形成された、取り外し穴３２ａが、所定のクリップ機構４０の配設位置の近傍に形成されている。幅木本体部３２から幅木３１を取り外す際には、取り外し穴３２ａを介して、所定のクリップ機構４０による幅木３１と幅木取付部２８の連結を解除することが可能になっている。
【００３５】
例えば、取り外し穴３２ａに対応する位置にある所定のクリップ機構４０による幅木３１の一端側と幅木取付部２８との間の連結が解除した後、幅木３１をかご室２２内側に引っ張る作業を、幅木３１の他端側に位置を徐々にずらしながら、幅木３１の他端側に位置するクリップ機構４０による幅木３１と幅木取付部２８との間の連結が解除されるまで続ける。これにより、幅木３１と幅木取付部２８との間の連結が完全に解除される。
以上のように、幅木３１は幅木取付部２８に着脱可能に取り付けられている。
【００３６】
次いで、縦壁部材３５の壁支持部２９へのボルト・ナット４８による連結構造について説明する。
複数の縦壁部材３５は、壁支持部２９に壁取付部３７を相対させて、隣接する縦壁本体３６の間に隙間をあけることなく配置される。このとき、縦壁本体３６は、壁取付部３７から鉛直上方に延出するように配置される。
そして、壁取付部３７を壁支持部２９にボルト・ナット４８を用いて締着固定することで、縦壁部材３５が、壁支持部２９に連結固定される。なお、複数のボルト・ナット４８は、互いに間隔をあけて適宜設けられている。
【００３７】
このとき、縦壁本体３６が、幅木本体部３２の上方に幅木本体部３２の上端から略隙間をあけることなく配置され、縦壁本体３６及び幅木本体部３２の表裏両面は、鉛直方向に平行である。そして、縦壁３９が、幅木本体部３２と縦壁本体３６により構成され、縦壁３９の一面が、かご室２２内の意匠面の主要部を構成している。
【００３８】
また、図５及び図６に示されるように、物資５２の保管スペース５１が、幅木本体部３２、仕切り部材３３、及び幅木取付部２８の間のスペースにより構成される。即ち、物資保管手段５５が、幅木本体部３２、仕切り部材３３からなる幅木３１、及び幅木取付部２８により構成されている。
保管スペース５１には、例えば、非常用の飲料水、食料、毛布、ラジオ、懐中電灯、簡易トイレ、及び応急処置用の医薬品などの非常用の物資５２が保管されている。このとき、仕切り部材３３によりかご床２３と物資５２との間が仕切られており、物資がかご床２３に直接触れることはない。
【００３９】
また、蓄光ラベル５６は、図７に示されるように、幅木３１の取り外し方法が記された表記部５７、及び表記部５７と相対する側から見て表記部５７を囲繞する背景部５８を備えている。
表記部５７は、光が照射されていた状態から、光が遮断されたときに、光を発する蓄光部材により構成されている。
また、背景部５８の色は、表記部５７と同じ色に設定されている。
そして、蓄光ラベル５６は、表記部５７をかご室２２内に向けて幅木３１の取り外し穴３２ａを塞口するように幅木３１に張られている。これにより、取り付け穴３２ａがかご室２２内から見えなくなり、乗客の荷物などが取り外し穴３２ａに引っかかることもない。
【００４０】
また、管理者は、インターホン１７により、かご室２２内の乗客と会話可能であり、非常停止時には、インターホン１７を用いて幅木３１の取り外し方と、非常用の物資５２の在りかを報知することも可能になっている。
【００４１】
この実施の形態１に係るエレベータ装置によれば、物資５２を支持保管する保管スペース５１が形成される構造の物資保管手段５５が、保管スペース５１をかご室２２の内部空間から操作可能に、かご室２２の内部空間の外側に設けられている。
より詳しくは、物資保管手段５５は、かご床２３の外縁から上方に延出される幅木取付部２８と、幅木取付部２８との間に互いに間隔をあけて相対して縦壁３９の下端側を構成する幅木本体部３２を有し、幅木取付部２８に着脱可能に取り付けられて幅木取付部２８との間に保管スペース５１を形成する幅木３１とを備えている。
【００４２】
即ち、物資保管手段５５が、保管スペース５１をかご室２２の内部空間から操作可能に、かご室２２の内部空間の外側に設けられるので、保管スペース５１をかご室２２の内部空間を狭めることなく確保できる。
【００４３】
また、エレベータ装置１は、幅木３１の取り外し方法が記された表記部５７を有し、表記部５７をかご室２２内に向けて配設される蓄光ラベル５６を備えているので、乗客は蓄光ラベル５６の内容を参照することで、幅木３１の取り外し方法を知ることができる。つまり、蓄光ラベル５６を設けることにより、スムーズに乗客が非常用の物資５２を保管スペース５１から取り出すことが可能になる。
【００４４】
さらに、蓄光ラベル５６は、背景部５８と表記部５７とが同じ色に設定されているので、かご室２２内の停電が発生しなければ、乗客は、蓄光ラベル５６の記載内容を知ることはない。停電はかご２０が緊急停止するなどの非常運転時に発生するものであり、通常運転時に乗客により幅木３１が取り外されるという悪戯を防止できる。
【００４５】
また、管理者が、インターホン１７により、かご室２２内の乗客と会話することができるので、非常停止時にかご室２２内の停電が発生しない場合でも、インターホン１７から幅木３１の取り外し方と、非常用の物資５２の在りかを報知する対応を取ることができる。
【００４６】
なお、この実施の形態１では、縦壁幅木取付部２７は、かご床２３の外縁から延出されるものとして説明したが、外縁から延出されるものによらず、かご床２３の外縁からかご床２３の内側に向かって所定の範囲内にあるかご床２３の領域として定義されるかご床２３の周部から延出されているものであればよい。
また、報知部材は蓄光ラベル５６であるものとして説明したが、蓄光ラベル５６であるものに限定されず、乗客に幅木３１の取り外し方法を示すものであればよい。但し、蓄光ラベル５６を用いることで、かご室２２内の停電時には、乗客はスムーズに幅木３１の取り外し方法を知ることができる。
【００４７】
また、仕切り部材３３は、幅木取付部２８に向かって幅木本体部３２から突出するものとして説明したが、幅木本体部３２に向かって幅木取付部２８から突出するように設けてもよい。即ち、仕切り部材３３は、幅木取付部２８及び幅木本体部３２の一方から他方に向かって突出するように設けられていればよい。
【００４８】
実施の形態２．
図８はこの発明の実施の形態２に係るエレベータ装置の幅木と幅木取付部との連結構造を示す要部断面図である。
なお、図８において、実施の形態１と同一または相当部分には同一符号を付し、その説明は省略する。
【００４９】
図８において、エレベータ装置のかご室は、クリップ機構４０に代え、幅木３１と幅木取付部２８を連結する連結手段としての磁力連結手段７０を有している他は、上記実施の形態１と同様に構成されている。
【００５０】
磁力連結手段７０は、幅木本体部３２から幅木取付部２８に向かって突出され、先端に幅木取付部２８に当接する磁石７２を有している。
より具体的には、磁力連結手段７０は、幅木本体部３２の裏面から幅木取付部２８の近傍まで突出される足部７１と、足部７１の突出端に取り付けられる磁石７２とを備えている。
【００５１】
複数の磁力連結手段７０は、かご床２３の外縁に沿った幅木３１と幅木取付部２８の延在方向に互いに間隔をあけて幅木本体部３２に突設されている。このとき、各磁力連結手段７０の足部７１が、幅木本体部３２の短手方向の中間部より一端側から突出されている。
さらに、他の複数の磁力連結手段７０が、幅木本体部３２の短手方向の中間部より他端側から足部７１が突出されるように、かご床２３の外縁に沿った幅木３１と幅木取付部２８の延在方向に、互いに間隔をあけて設けられている。
【００５２】
上述したように、幅木取付部２８は、磁性材料により構成されている。
そして、磁石７２が、幅木取付部２８の一面に当接されている。これにより、磁石７２と幅木取付部２８との間を引きつける磁力が働くので、幅木３１が幅木取付部２８に連結支持される。
なお、仕切り部材３３は、かご床２３上に載置されている。
【００５３】
以上のように幅木取付部２８に連結された幅木３１を、磁石７２と幅木取付部２８との間を引きつける磁力に抗して所定以上の力で幅木取付部２８に対して引き出すことで、幅木３１が幅木取付部２８から取り外される。
【００５４】
そして、実施の形態１と同様、幅木３１と幅木取付部２８とからなる物資保管手段５５は、物資５２を支持保管するための保管スペース５１が形成される構造を有しており、非常用の物資５２が、保管スペース５１に保管されている。
【００５５】
この実施の形態２においても、物資保管手段５５が、保管スペース５１をかご室２２の内部空間から操作可能に、かご室２２の内部空間の外側に設けられるので、保管スペース５１を、かご室２２の内部空間を狭めることなく確保できる。
さらには、幅木３１と幅木取付部２８とを連結する磁力連結手段７０は、幅木本体部３２から突出させた足部７１に磁石７２を取り付けるだけの構造であり、幅木３１を幅木取付部２８に取り付けるに際、作業者は、特に力作業を必要とすることもないので簡単に作業を終えることができる。
【００５６】
なお、この実施の形態２では、磁力連結手段７０は、幅木本体部３２から幅木取付部２８に向かって突出され、先端に設けられた磁石７２が幅木取付部２８に当接するものとして説明したが、幅木取付部２８から幅木本体部３２に向かって突出するように幅木取付部２８に設けられ、先端に設けられた磁石７２が幅木本体部３２に当接されるものでもよい。即ち、磁力連結手段７０は、幅木本体部３２及び幅木取付部２８の一方から他方に向かって突出され、先端に幅木３１及び幅木取付部２８の他方に当接する磁石７２を有するものであればよい。この場合、幅木本体部３２及び幅木取付部２８の他方が、磁性材料により作製されていればよい。
【００５７】
実施の形態３．
図９はこの発明の実施の形態３に係るエレベータ装置のかご室内をかご出入り口側から見た図、図１０は図９のＸ−Ｘ矢視断面図、図１１は図１０のＸＩ−ＸＩ矢視断面図である。
なお、図９〜図１１において、上記実施の形態１と同一または相当部分には同一符号を付し、その説明は省略する。
【００５８】
この実施の形態３のエレベータ装置は、図９〜図１１に示されるように、内部を保管スペース５１とする箱状をなし、かご出入り口５０と相対する縦壁３９の裏面側に設けられる物資保管手段としてのトランク８０と、トランク８０の配設位置に対応する縦壁３９の部位に設けられた開口部３９ａと、開口部３９ａを開閉自在に設けられる扉８１と、扉８１の施錠と解錠を切り替え可能に構成された電気錠８３とを備えている。そして、エレベータ制御盤１５が、電気錠８３の施錠と解錠を制御可能に構成され、かご２０の非常停止時に、電気錠８３の施錠を解除するように構成されている。
なお、幅木本体部３２への取り出し穴３２ａの形成、及び蓄光ラベル５６の貼り付けは省略されている。
他の構成は上記実施の形態１と同様である。
【００５９】
開口部３９ａは、かご出入り口５０と相対する縦壁３９のかご床２３から所定の高さまでの部位を省略して形成されている。即ち、開口部３９ａは、縦壁３９のうち、かご出入り口５０の間口方向に互いに相対する縦壁３９の部位において、かご出入り口５０と逆側の一端部間にかご床２３から所定の高さに形成されている。なお、幅木取付部２８は、開口部３９ａに隣接するかご床２３の外縁の部位からは延出されていない。
【００６０】
トランク８０は、かご出入り口５０と相対する縦壁３９の裏面側に開口部を向けて縦壁３９、及びかご床本体２４の外縁部に固定されている。
【００６１】
そして、それぞれ矩形平板状の一対の両開きの扉８１が、開口部３９ａを開閉自在に取り付けられている。
一方の扉８１は、短手方向を高さ方向に一致させ、長手方向の一端側を開口部３９ａの幅方向の一側に設置された高さ方向に平行な軸に挿通されて、軸まわりに回転自在となっている。
【００６２】
他方の扉８１は、短手方向を高さ方向に一致させ、長手方向の一端側を開口部３９ａの幅方向の他側に取り付けられた高さ方向に平行な軸に挿通されて、軸まわりに回転自在となっている。そして、各扉８１の長さは、開口部３９ａの幅のおおよそ半分の長さであり、各扉８１の他端部が隣り合うように各扉８１を回動させることで、開口部３９ａを閉じることが可能になっている。
【００６３】
また、電気錠８３が、開口部３９ａの上方に位置するように縦壁３９の裏面側に取り付けられている。
図１１に示されるように、扉８１が開口部３９ａを閉じたときには、扉８１の上端部が電気錠８３の下方に位置するようになっている。扉８１には、電気錠８３に対応する位置に錠穴８１ａが設けられている。
【００６４】
そして、電気錠８３は、錠穴８１ａに抜き差し可能に設けられたプランジャ８４と、プランジャ８４を錠穴８１ａから抜く方向に付勢するばね（図示せず）と、ばねの付勢力の抗してプランジャ８４を錠穴８１ａに挿入させる方向に付勢する電磁力を発生する電磁力発生手段８５とを備えている。
【００６５】
即ち、開口部３９ａを閉じた扉８１に対し、プランジャ８４が錠穴８１ａに挿入されたときには、扉８１が施錠され、プランジャ８４が錠穴８１ａから抜かれたときには、扉８１が解錠される。このように、電気錠８３は、扉８１の施錠と解錠を切り替え可能になっている。
【００６６】
そして、エレベータ制御盤１５が、電磁力発生手段８５への通電を制御可能に構成され、電磁力の発生と消失を切り替えて、電気錠８３の施錠と解錠を制御するようになっている。
つまり、エレベータ制御盤１５は、電気錠制御手段としての機能を有している。
また、エレベータ制御盤１５は、所定以上の揺れの地震の発生を検出する地震センサの検出信号など、非常用信号を受信したり、通常備えられている安全装置がしなくなった場合など、何らかの原因でかごを非常停止させた場合に、電気錠８３を解錠するように構成されている。
【００６７】
また、エレベータ装置の管理者は、インターホン１７を用いて、扉８１をあけることで、トランク８０内に非常用の物資５２が入っていることを乗客に報知することが可能である。
【００６８】
この実施の形態３のエレベータ装置によれば、トランク８０が、縦壁３９の裏面側に設けられ、トランク８０の配設位置に対応する縦壁３９の部位には、開口部３９ａが設けられている。また、エレベータ装置は、開口部３９ａを開閉自在に設けられる扉８１と、扉８１の施錠と解錠を切り替え可能に構成された電気錠８３と、電気錠８３の施錠と解錠を制御可能に構成され、かご２０の非常停止時に、電気錠８３の施錠を解除するエレベータ制御盤１５とを備えている。
【００６９】
トランク８０が、かご室２２の内部空間の外側に設けられ、かご２０の非常停止時には、扉８１が解錠されて、保管スペース５１をかご室２２の内部空間から操作可能となるので、保管スペース５１を、かご室２２の内部空間を狭めることなく確保しつつ、非常時には、かご室２２の内部空間から、保管スペース５１から物資５２を取り出すことができる。
【符号の説明】
【００７０】
１  エレベータ装置、１５  エレベータ制御盤（電気錠制御手段）、２２  かご床、２３  かご床、２８  幅木取付部、３１  幅木、３２  幅木本体部、３９  縦壁、５０  かご出入り口、５１  保管スペース、５２  物資、５５  物資保管手段、７０  磁力連結手段、７２  磁石。
【図１】
2012140240.tif 000003
【図２】
2012140240.tif 000004
【図３】
2012140240.tif 000005
【図４】
2012140240.tif 000006
【図５】
2012140240.tif 000007
【図６】
2012140240.tif 000008
【図７】
2012140240.tif 000009
【図８】
2012140240.tif 000010
【図９】
2012140240.tif 000011
【図１０】
2012140240.tif 000012
【図１１】
2012140240.tif 000013